(57)【特許請求の範囲】
【請求項１】
センサーライトと親機とが接続された監視システムであって、
前記親機は、
前記センサーライトにおける点灯及び消灯の各動作条件を保存し、
前記点灯の動作条件を満たす場合に、前記センサーライトに点灯指示を送信し、
前記消灯の動作条件を満たす場合に、前記センサーライトに消灯指示を送信し、
前記センサーライトは、
前記親機から送信された前記点灯指示を受信した場合、又は前記センサーライトの周囲において移動体を検知した場合に点灯し、
前記親機から送信された前記消灯指示を受信し、かつ前記移動体を検知しなくなってから点灯時間の長さに応じて予め設定された時間、前記移動体の非検知状態が継続した場合に消灯する、
監視システム。
【請求項２】
請求項１に記載の監視システムであって、
前記センサーライトは、点灯に応じて点灯時間の計測を開始し、その後、前記移動体が検知されなくなった場合に、前記移動体が検知されなくなってから消灯するまでの前記移動体の非検知状態が継続する一定時間を示す消灯遅延時間の計測を開始するとともに、前記点灯時間の長さに応じて予め設定された前記消灯遅延時間の設定値を取得し、
前記消灯遅延時間の計測値が取得された前記消灯遅延時間の設定値を超え、かつ、前記点灯時間の計測値が予め設定された前記点灯時間の設定値を超えた場合に、消灯する、
監視システム。
【請求項３】
請求項１又は２に記載の監視システムであって、
前記親機は、メモリを有し、
前記センサーライトにおける点灯の動作条件又は消灯の動作条件が生成されると、前記親機は、前記動作条件を前記メモリに記憶し、前記メモリに記憶された前記消灯の動作条件が満たされた場合に、前記センサーライトに前記消灯指示を送信する、
監視システム。
【請求項４】
請求項１〜３のうちいずれか一項に記載の監視システムであって、
前記センサーライトは、点灯時間の計測値が前記点灯時間の設定値より長い強制消灯時間を超えた場合に、消灯する、
監視システム。
【請求項５】
センサーライトと親機とが接続された監視システムにおける監視方法であって、
前記親機において、
前記センサーライトにおける点灯及び消灯の各動作条件を保存し、
前記点灯の動作条件を満たす場合に、前記センサーライトに点灯指示を送信し、
前記消灯の動作条件を満たす場合に、前記センサーライトに消灯指示を送信し、
前記センサーライトにおいて、
前記親機から送信された前記点灯指示を受信した場合、又は前記センサーライトの周囲において移動体を検知した場合に点灯し、
前記親機から送信された前記消灯指示を受信し、かつ前記移動体を検知しなくなってから点灯時間の長さに応じて予め設定された時間、前記移動体の非検知状態が継続した場合に消灯する、
監視方法。
【請求項６】
親機に接続されたセンサーライトであって、
少なくとも予め設定された時間点灯するライトと、
移動体を検知するセンサと、
前記親機から送信された前記ライトの点灯指示を受信した場合、又は前記センサーライトの周囲において前記移動体が検知された場合に、前記ライトを点灯させるプロセッサと、を備え、
前記プロセッサは、
前記親機から送信された前記ライトの消灯指示を受信し、かつ前記移動体を検知しなくなってから点灯時間の長さに応じて予め設定された時間、前記移動体の非検知状態が継続した場合に、前記ライトを消灯させる、
センサーライト。 
【発明の詳細な説明】
【技術分野】
【０００１】
本発明は、移動体の動きを検知すると点灯するセンサーライトを含む監視システム、監視システムにおける監視方法、及び監視システムにおいて用いられるセンサーライトに関する。
【背景技術】
【０００２】
従来、センサーライトを含む監視システムでは、センサーライトは、夜間等において既定の検知領域（例えば監視エリア）における人（例えば侵入者）の動きを検知すると、点灯する。センサーライトの点灯は、侵入者への警告であり、例えば侵入者が不審者や動物である場合、センサーライトの点滅によって威嚇することも可能である。
【０００３】
従来のセンサーライトは、例えば一旦点灯すると、予め設定された点灯時間が経過するまで点灯し続け、その点灯時間が経過した後、自動的に消灯する。但し、センサーライトには、例えば家庭から商用電源又は直流電源が定常的に供給されず、電池等のバッテリ駆動であるものが多い。このため、侵入者が検知されなくなった場合、センサーライトのバッテリの消費電力を減らすために、早期に消灯させることが求められる。従って、従来のセンサーライトの点灯時間の設定値は、予め短く設定されることが多かった。
【０００４】
人感を検知すると照明を点灯する先行技術として、例えば特許文献１に記載の照明制御装置が知られている。この照明制御装置は、通信ネットワークからの信号と照明負荷の下に人がいることを検知する人感センサからの信号とを基に、照明負荷の点滅制御を行う。この際、照明制御装置は、通信ネットワークからの消灯信号を受信した時であっても、人感センサからの検知信号の有無を優先して考慮し、人感センサからの検知信号が有る場合、通信ネットワークからの消灯信号を無視して点灯を保持する。これにより、照明負荷の下に人がいる場合には、通信ネットワークから消灯信号が送信されても照明負荷の消灯がされないので、照明負荷の下にいる人の快適性を損なわなくなる。
【先行技術文献】
【特許文献】
【０００５】
【特許文献１】特開２００３−１３３０８４号公報
【発明の概要】
【発明が解決しようとする課題】
【０００６】
特許文献１の構成では、人感センサの検知結果が優先されるので、人等の侵入者が人感センサの検知領域から一旦検知されなくなったら、すぐに消灯するか調光下限点灯するので、人の検知がなくなった途端にその検知領域は暗くなる。しかし、時間帯や曜日等のタイミングによっては頻繁な人の出入りが予想され、人の検知がなくなった途端に暗くなると使い勝手が良くないことがあり、例えば消灯してもすぐに新たな人が検知される場合がある。このため、照明負荷の下の通過者の利便性向上の観点から、点灯してからの計測時間が予め設定された点灯時間の設定値を経過しても、暫くの間、点灯させておきたいという要求があった。
【０００７】
また、ユーザが意図するように照明の点灯時間の長短を任意に変更したいという要求もあった。例えばユーザが帰宅する時にセンサーライトが点灯した場合、センサーライトの検知範囲からユーザが外れた場合でも、すぐに消灯せずに、暫く点灯させておくという使い方も想定される。
【０００８】
本発明は、上述した従来の状況に鑑みてなされたものであり、センサーライトの付近を通過するユーザの意図に沿うように、センサーライトの消灯時期を柔軟に可変でき、人が検知されなくなった後でも一定期間の点灯を保持することでユーザの利便性を向上する監視システム及びセンサーライトを提供することを目的とする。
【課題を解決するための手段】
【０００９】
本発明は、センサーライトと親機とが接続された監視システムであって、前記親機は、前記センサーライトにおける点灯及び消灯の各動作条件を保存し、前記点灯の動作条件を満たす場合に、前記センサーライトに点灯指示を送信し、前記消灯の動作条件を満たす場合に、前記センサーライトに消灯指示を送信し、前記センサーライトは、前記親機から送信された前記点灯指示を受信した場合、又は前記センサーライトの周囲において移動体を検知した場合に点灯し、前記親機から送信された前記消灯指示を受信し、かつ前記移動体を検知しなくなってから点灯時間の長さに応じて予め設定された時間、前記移動体の非検知状態が継続した場合に消灯する、監視システムを提供する。 
【００１０】
また、本発明は、センサーライトと親機とが接続された監視システムにおける監視方法であって、前記親機において、前記センサーライトにおける点灯及び消灯の各動作条件を保存し、前記点灯の動作条件を満たす場合に、前記センサーライトに点灯指示を送信し、前記消灯の動作条件を満たす場合に、前記センサーライトに消灯指示を送信し、前記センサーライトにおいて、前記親機から送信された前記点灯指示を受信した場合、又は前記センサーライトの周囲において移動体を検知した場合に点灯し、前記親機から送信された前記消灯指示を受信し、かつ前記移動体を検知しなくなってから点灯時間の長さに応じて予め設定された時間、前記移動体の非検知状態が継続した場合に消灯する、監視方法を提供する。 
【００１１】
また、本発明は、親機に接続されたセンサーライトであって、少なくとも予め設定された時間点灯するライトと、移動体を検知するセンサと、前記親機から送信された前記ライトの点灯指示を受信した場合、又は前記センサーライトの周囲において前記移動体が検知された場合に、前記ライトを点灯させるプロセッサと、を備え、前記プロセッサは、前記親機から送信された前記ライトの消灯指示を受信し、かつ前記移動体を検知しなくなってから点灯時間の長さに応じて予め設定された時間、前記移動体の非検知状態が継続した場合に、前記ライトを消灯させる、センサーライトを提供する。
【発明の効果】
【００１２】
本発明によれば、センサーライトの付近を通過するユーザの意図に沿うように、センサーライトの消灯時期を柔軟に可変でき、人が検知されなくなった後でも一定期間の点灯を保持することでユーザの利便性を向上することができる。
【図面の簡単な説明】
【００１３】
【図１】本実施形態のセンサーライトが組み込まれた監視カメラシステムのシステム構成の一例を示す図
【図２】本実施形態の監視カメラシステムにおける親機の内部構成の一例を示すブロック図
【図３】本実施形態の監視カメラシステムにおける子機の内部構成の一例を示すブロック図
【図４】本実施形態の監視カメラシステムにおけるカメラの内部構成の一例を示すブロック図
【図５】本実施形態の監視カメラシステムにおけるセンサの内部構成の一例を示すブロック図
【図６】本実施形態の監視カメラシステムにおけるスマートフォンの内部構成の一例を示すブロック図
【図７】本実施形態の監視カメラシステムにおけるスマートプラグの内部構成の一例を示すブロック図
【図８】本実施形態の監視カメラシステムにおけるセンサーライトの内部構成の一例を示すブロック図
【図９】本実施形態のセンサーライトの外観の一例を示す斜視図
【図１０】本実施形態のセンサーライトにおける設定情報テーブルの登録内容の一例を示す図
【図１１】本実施形態のセンサーライトにおける消灯遅延時間テーブルの登録内容の一例を示す図
【図１２】スマートコントロール設定テーブルの登録内容の一例を示す図
【図１３】スマートフォンに表示されるスマートコントロール設定画面の一例を示す図
【図１４】本実施形態のセンサーライトにおけるライト消灯中の動作手順の一例を説明するフローチャート
【図１５】本実施形態のセンサーライトにおけるライト点灯中の動作手順の一例を示すフローチャート
【図１６】図１５に続くライト点灯中の動作手順の一例を説明するフローチャート
【図１７】図１５及び図１６に続くライト点灯中の動作手順の一例を説明するフローチャート
【発明を実施するための形態】
【００１４】
以下、適宜図面を参照しながら、本発明に係る監視システム及び監視方法を具体的に開示した実施形態（以下、本実施形態という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１５】
以下、本発明に係る監視システムの一例として、監視カメラシステムを例示して説明する。本実施形態のセンサーライトは、例えばユーザの自宅の敷地内（例えば屋内や、庭等の敷地内の屋外も含む）に設置される監視カメラシステムに適用されるものとして説明する。但し、本実施形態のセンサーライトは、ユーザの自宅の敷地内の防犯用途に限定されず、店舗、工場、オフィス等の事業所のうちいずれかにおける防犯用途として使用されてもよいことは言うまでもない。また、本実施形態のセンサーライトは、防犯目的として使用されず、設置場所を行き来する人に対する使い勝手を向上するために使用されるものであっても構わない。
【００１６】
なお、本発明は、監視システムに限定されず、監視システムにおける監視方法として表現することも可能であり、また監視システムの一例としての監視カメラシステムに含まれるセンサーライトの装置カテゴリとして規定することもできる。
【００１７】
図１は、本実施形態のセンサーライト９０が組み込まれた監視カメラシステム５のシステム構成の一例を示す図である。監視カメラシステム５は、例えば宅内８に設置されており、固定電話機の親機１０、２台の子機２０Ａ，２０Ｂ、２台のカメラ３０（例えば屋内カメラ３０Ａ，監視カメラ３０Ｂ）、各種のセンサ４０（例えば人感センサ４０Ａ，４０Ｂ，煙センサ４０Ｃ，開閉センサ４０Ｄ）、スマートプラグ８０、センサーライト９０、スマートフォン５０及び無線ルータ６０から構成される。なお、この監視カメラシステム５の構成は一例であり、種々の態様に変更可能である。
【００１８】
親機１０は、監視カメラシステム５における各種の機器との通信に関するゲートウェイとしての役割を有する。つまり、親機１０は、監視カメラシステム５の全体の動作を制御する制御装置であり、例えばＤＥＣＴ（Digital Enhanced Cordless Telecommunications）の無線通信方式を用いて、子機、カメラ、センサ等と通信可能に接続される。また、親機１０は、無線ＬＡＮを用いた無線ルータ６０を介してインターネット６５（ネットワーク）に接続される。また、親機１０は、有線で固定電話網８５に接続され、子機２０Ａ，２０Ｂと他の固定電話機８００との間で通話を可能とするための仲介処理を行う。また、親機１０は、他の固定電話機８００との間で直接に通話を行ってもよい。また、親機１０は、差込口１０ａに挿入された子機２０Ａを充電する機能を有する。
【００１９】
子機２０Ａ，２０Ｂは、ＤＥＣＴの通信方式で親機１０と接続され、親機１０と通話可能である。特に、２台の子機２０Ａ，２０Ｂを区別する必要が無い場合、子機２０と総称する。
【００２０】
各種のセンサ４０（例えば人感センサ４０Ａ，４０Ｂ，煙センサ４０Ｃ，開閉センサ４０Ｄ）は、ＤＥＣＴの通信方式で親機１０と接続される。ここでは、センサとして、窓の開閉を検出する開閉センサ４０Ｄ、煙を感知する煙センサ４０Ｃ、及び赤外線によって人物を感知する人感センサ４０Ａ、４０Ｂが用いられる。特に、これらのセンサの種類を区別する必要が無い場合、センサ４０と総称する。また、後述するように、カメラ３０に内蔵された赤外線センサ３１３（図４参照）も、人感センサとして用いられる。
【００２１】
２台のカメラ（例えば屋内カメラ３０Ａ，監視カメラ３０Ｂ）は、通話機能を有し、ＤＥＣＴの通信方式で親機１０と接続されて、子機２０Ａ，２０Ｂとの間で通話が可能である。ここでは、カメラとして、屋外を撮像する監視カメラ３０Ｂ、及び宅内８を撮像する屋内カメラ３０Ａが用いられる。特に、カメラの種類を区別する必要が無い場合、カメラ３０と総称する。
【００２２】
スマートプラグ８０は、ＤＥＣＴを用いた無線通信機能を有し、ＤＥＣＴの無線通信方式で親機１０と接続される。スマートプラグ８０は、親機１０から送信される指示に従い、スマートプラグ８０自身に接続された各種の電気機器（例えばエアーコンディショナ、照明器具、カメラ３０、センサ４０）に電力を供給する商用交流電源又は直流電源の通電又は遮断を切り替える。スマートプラグ８０の詳細については後述する。
【００２３】
センサーライト９０は、監視エリア（例えば宅内の庭、玄関）に居る人物の動きを検知し、夜間等で周囲が暗いと、点灯して監視エリアの周囲を照明する。なお、センサーライト９０の輝度は、監視エリアを明るく照明できる程度に高くてもよいし、警告灯として使える程度に低くてもよい。センサーライト９０は、ＤＥＣＴを用いた無線通信機能を有し、ＤＥＣＴの無線通信方式を用いて親機１０と接続される。センサーライト９０は、親機１０を介してスマートフォン５０からセンサーライト９０の動作条件（以下、「シナリオ」ともいう）を任意に設定可能である。センサーライト９０の詳細については後述する。
【００２４】
携帯電話端末としてのスマートフォン５０は、無線ＬＡＮを用いた無線ルータ６０を介して親機１０と接続され、３Ｇ（第３世代）や４Ｇ（第４世代）等の各種の通信方式を用いた携帯電話網７５を介して、他の携帯電話機７０や不図示の他のスマートフォン等と接続される。
【００２５】
図２は、本実施形態の監視カメラシステム５における親機１０の内部構成の一例を示すブロック図である。親機１０は、制御部１０９と、記憶部１０３と、操作部１０５と、表示部１０６とを含む構成である。親機１０は、各種の入力操作を受け付け、また、表示部１０６に画像等の情報を表示する。制御部１０９は、呼制御部１１０及び音声ストリーム処理部１１２を内蔵し、通話の呼制御や音声データの処理等を行う。なお、表示部１０６は、タッチパネルを用いて構成されてもよい。このタッチパネルに対応する表示部１０６は、ユーザの操作を受け付けて制御部１０９に出力するとともに、制御部１０９から渡された表示データ（例えば後述するスマートコントロール設定画面ＧＭのデータ）を表示する。
【００２６】
また、親機１０は、画像メモリ制御部１１５と、画像メモリ１１６とを有し、カメラ３０で撮像されかつカメラ３０から転送された画像データ等を受信して画像メモリ１１６に記憶する。
【００２７】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２８】
また、親機１０は、ＤＥＣＴプロトコル制御部１０８と、ＤＥＣＴ無線Ｉ／Ｆ部１０７とを有し、ＤＥＣＴ（Digital Enhanced Cordless Telecommunications）の無線通信方式を用いて、子機２０、センサ４０、カメラ３０、スマートプラグ８０及びセンサーライト９０との間でそれぞれ無線接続、無線通信を行う。
【００２９】
また、親機１０は、音声バス１１７と、音声入出力制御部１０４と、スピーカ１２９と、マイク１２８とを有し、外部に対して音声の入出力を行う。
【００３０】
また、親機１０は、固定電話回線Ｉ／Ｆ部１０１を有し、固定電話網８５に接続された外部の固定電話機８００と通話可能である。なお、上述したように、親機１０は、固定電話網８５に接続された外部の固定電話機８００と子機２０Ａ，２０Ｂとの間で通話が可能となるように通話時における音声データの各種処理を制御してもよい。
【００３１】
また、親機１０は、子機／携帯端末充電部１２６を有し、差込口１０ａに挿入された子機２０或いはスマートフォン５０を充電する。
【００３２】
また、親機１０は、ＵＳＢ通信Ｉ／Ｆ部１２７を有し、ＵＳＢ（Universal Serial Bus）規格のインタフェースを有する機器やメモリ等とデータを送受信する。
【００３３】
また、親機１０は、各種のセンサ４０（例えば人感センサ４０Ａ，４０Ｂ，煙センサ４０Ｃ，開閉センサ４０Ｄ）と複数のカメラ３０をそれぞれ関連付けて記憶部１０３に書き込んで登録する。例えば人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、赤外線センサ３１３とも関連付けて登録される。また、人感センサ４０Ａと、煙センサ４０Ｃと開閉センサ４０Ｄとは、いずれも宅内８に設置されているので、屋内カメラ３０Ａとそれぞれ関連付けて登録される。
【００３４】
図３は、本実施形態の監視カメラシステム５における子機２０の内部構成の一例を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。
【００３５】
また、子機２０は、ＤＥＣＴプロトコル制御部２４９と、ＤＥＣＴ無線Ｉ／Ｆ部２４８とを有し、ＤＥＣＴの無線通信方式を用いて親機１０、センサ４０及びカメラ３０との間でそれぞれの無線接続、無線通信を行う。
【００３６】
また、子機２０は、音声バス２５５と、音声入出力制御部２４３と、スピーカ２５２と、マイク２５１とを有し、外部（例えば外部の固定電話機８００）に対して音声の入出力を行って通話する。
【００３７】
図４は、本実施形態の監視カメラシステム５におけるカメラ３０の内部構成の一例を示すブロック図である。カメラ３０の一例としての屋内カメラ３０Ａ及び監視カメラ３０Ｂは、いずれもほぼ同じ仕様を有する。カメラ３０は、制御部３０９と、記憶部３０３と、操作部３０５とを含む構成である。カメラ３０は、撮像に関する動作を行うとともに、入力操作を受け付ける。
【００３８】
また、カメラ３０は、ＤＥＣＴプロトコル制御部３１７と、ＤＥＣＴ無線Ｉ／Ｆ部３１８とを有し、ＤＥＣＴの無線通信方式を用いて親機１０との間で無線接続、無線通信を行う。
【００３９】
また、カメラ３０は、無線ＬＡＮ制御部３２１と、無線ＬＡＮ通信Ｉ／Ｆ部３２２とを有し、無線ＬＡＮで接続された無線ルータ６０を介して親機１０、スマートフォン５０等と画像データ及び音声データを送受信する。
【００４０】
また、カメラ３０は、音声バス３０７と、音声入出力制御部３０４と、スピーカ３２９と、マイク３２８とを有し、外部（例えば子機２０Ａ，２０Ｂ）に対して音声の入出力を行って通話する。
【００４１】
また、カメラ３０は、撮像部３１２と、画像メモリ制御部３１６と、画像メモリ３１５とを有し、撮像部３１２で撮像された画像データを画像メモリ３１５に記憶する。撮像部３１２は、レンズ及び撮像素子（例えばＣＣＤ（Charged Coupled Device）、又はＣＭＯＳ（Complementary Metal Oxide Semiconductor）等のイメージセンサ）を有する。
【００４２】
カメラ３０は、人感センサとして、ＰＩＲ（Passive Infra Red）センサである赤外線センサ（集電センサ）３１３を一体に内蔵する。赤外線センサ３１３は、人（人物）が発する熱（赤外線）の変化を検出して人の存在を感知する。カメラ３０は、例えば商用交流電源又は直流電源により構成される電源部３１４を有する。
【００４３】
図５は、本実施形態の監視カメラシステム５におけるセンサ４０の内部構成の一例を示すブロック図である。センサ４０は、制御部４４７と、記憶部４４２と、表示ランプ４４５とを含む構成である。センサ４０は、対象（例えば侵入者。以下同様。）を検出した場合に、表示ランプ４４５を点灯する等、所定の検出動作を行う。
【００４４】
また、センサ４０は、ＤＥＣＴプロトコル制御部４４９と、ＤＥＣＴ無線Ｉ／Ｆ部４４８とを有し、ＤＥＣＴの無線通信方式を用いて親機１０と無線接続、無線通信を行い、対象を検出すると、センサ検出情報を親機１０に送る。
【００４５】
センサ部４５３は、センサ４０の種類によって異なる。例えば人感センサ４０Ａ，４０Ｂの場合、センサ部４５３は、赤外線の変化によって人を感知するＰＩＲセンサである。窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。
【００４６】
充電池４５０は、充電可能な電池であり、センサ４０の各部に必要な電力を供給する。
【００４７】
図６は、本実施形態の監視カメラシステム５におけるスマートフォン５０の内部構成の一例を示すブロック図である。スマートフォン５０は、制御部５０６と、記憶部５０４と、表示／操作部（タッチパネル）５０３とを含む構成である。スマートフォン５０は、各種の入力操作を受け付け、タッチパネル５０３に画像等の情報を表示する。制御部５０６は、後述するように、カメラ３０の機能やセンサーライト９０の設定情報やシナリオを設定可能な監視機能制御部５１４を内蔵する。タッチパネル５０３は、表示部及び操作部が一体化された表示入力部であり、画面に画像やアイコン等の情報を表示したり、センサーライト９０の設定情報の生成画面（不図示）やシナリオの設定画面（例えば図１３参照）を表示したりするとともに、使用者による画面へタップ操作（又はタッチ操作）を受け付ける。
【００４８】
また、スマートフォン５０は、３Ｇ／４Ｇプロトコル制御部５０２と、３Ｇ／４Ｇ無線Ｉ／Ｆ部５０１とを有し、３Ｇ（第３世代）や４Ｇ（第４世代）の無線通信方式を用いて、携帯電話網７５に接続された携帯電話機７０や他のスマートフォンと無線接続、無線通信を行う。
【００４９】
また、スマートフォン５０は、音声バス５１５と、音声入出力制御部５０５と、スピーカ５１３と、マイク５１２とを有し、外部に対して音声の入出力を行う。
【００５０】
また、スマートフォン５０は、無線ＬＡＮ制御部５０７と、無線ＬＡＮ通信Ｉ／Ｆ部５０８とを有し、無線ＬＡＮで接続された無線ルータ６０を介して親機１０、カメラ３０等と画像データ及び音声データを送受信する。また、スマートフォン５０は、スマートフォン５０を操作するユーザの入力操作があると、その操作による信号を、無線ルータ６０を介して親機１０に送信し、さらに親機１０を介して、センサーライト９０、スマートプラグ８０等の設定情報を新規に作成したり、その設定情報を任意に変更したりすることが可能である。
【００５１】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００５２】
図７は、本実施形態の監視カメラシステム５におけるスマートプラグ８０の内部構成の一例を示すブロック図である。スマートプラグ８０は、制御部８４７、記憶部８４２、及び表示ランプを備えた表示部８４５を有する。記憶部８４２には、スマートプラグ８０が親機１０との間でＤＥＣＴを用いた無線通信を行うことで設定又は変更が可能なＯＮ／ＯＦＦ条件に関するスケジュール設定情報が登録される。
【００５３】
また、スマートプラグ８０は、ＤＥＣＴプロトコル制御部８４９、及びＤＥＣＴ無線Ｉ／Ｆ部８４８を有し、ＤＥＣＴの無線通信方式を用いて親機１０と無線通信による接続を行い、この無線通信による接続を介して送信される信号（つまり、親機１０からの切替制御信号）に従って、個々のスマートプラグ８０に接続される各電気機器（例えばエアーコンディショナ、照明器具、カメラ３０、センサ４０）へ商用交流電源又は直流電源の供給又は遮断を切り替える。
【００５４】
また、スマートプラグ８０は、スイッチ部８５０を有する。スイッチ部８５０は、例えば宅内８の配電盤（不図示）から接続された宅内８の各種の位置（例えばダイニングルーム、リビングルーム、ベッドルーム等の位置）に表出されたコンセント端子（不図示）に接続されるプラグ端子８５１と電気機器に接続されるコンセント端子８５２との間で、電源としての電力の供給線の接続又は遮断を行う。スイッチ部８５０は、例えばソレノイドコイル８５３によって駆動され、ソレノイドコイル８５３に交流電源からの駆動電流を流すことによってスイッチ部８５０を閉結し、プラグ端子８５１とコンセント端子８５２との間を導通させる。また、スイッチ部８５４は、制御部８４７の制御によってソレノイドコイル８５３に流す駆動電流をＯＮ／ＯＦＦさせる。
【００５５】
プラグ端子８５１とスイッチ部８５０との間には電流検出素子８５５が設けられ、プラグ端子８５１とコンセント端子８５２の間で電流が流れると、電流検出素子８５５が検知し、検知信号を制御部８４７へ送る。制御部８４７は、例えば操作部８４１からの入力操作があると、電流検出素子８５５からの検知信号を受けた場合に電気機器への電力を供給している量（電力供給量）を表示部８４５に表示する。
【００５６】
制御部８４７は、例えばユーザの操作に基づくスマートフォン５０からの指示により親機１０からスマートプラグ８０の動作モードの指示信号がＤＥＣＴ無線Ｉ／Ｆ部８４８において受信された場合には、プラグ端子８５１とコンセント端子８５２との間を導通させるための切替制御信号をスイッチ部８５４に出力する。これにより、プラグ端子８５１とコンセント端子８５２との間が導通する。一方、制御部８４７は、例えばユーザの操作に基づくスマートフォン５０からの指示により親機１０からスマートプラグ８０の動作停止モードの指示信号がＤＥＣＴ無線Ｉ／Ｆ部８４８において受信された場合には、プラグ端子８５１とコンセント端子８５２との間を非導通させるための切替制御信号をスイッチ部８５４に出力する。これにより、プラグ端子８５１とコンセント端子８５２との間が非導通となる。
【００５７】
また、制御部８４７は、記憶部８４２に記憶されているスケジュール設定情報を参照し、スケジュール設定情報に含まれる動作モードの時間になると、プラグ端子８５１とコンセント端子８５２との間を導通させるための切替制御信号をスイッチ部８５４に出力する。これにより、プラグ端子８５１とコンセント端子８５２との間が導通する。なお、動作モードの時間中では、例えばユーザの操作に基づくスマートフォン５０からの指示により親機１０から送信された動作停止モードの指示信号がＤＥＣＴ無線Ｉ／Ｆ部８４８において受信されない限り、プラグ端子８５１とコンセント端子８５２との間の導通状態は維持される。
【００５８】
一方、制御部８４７は、記憶部８４２に記憶されているスケジュール設定情報を参照し、スケジュール設定情報に含まれる動作停止モードの時間になると、プラグ端子８５１とコンセント端子８５２との間を非導通させるための切替制御信号をスイッチ部８５４に出力する。これにより、プラグ端子８５１とコンセント端子８５２との間が非導通となる。なお、動作停止モードの時間中では、例えばユーザの操作に基づくスマートフォン５０からの指示により親機１０から送信された動作モードの指示信号がＤＥＣＴ無線Ｉ／Ｆ部８４８において受信されない限り、プラグ端子８５１とコンセント端子８５２との間の非導通状態は維持される。
【００５９】
図８は、本実施形態の監視カメラシステム５におけるセンサーライト９０の内部構成の一例を示すブロック図である。センサーライト９０は、プロセッサ９０１と、ＤＥＣＴ無線Ｉ／Ｆ部９０２と、ＤＥＣＴプロトコル処理部９０３と、メモリ９０４と、照度センサ９０５と、動作センサ９０６と、ライト９０７と、電池９０８とを含む構成である。
【００６０】
プロセッサ９０１は、ＤＥＣＴ無線Ｉ／Ｆ部９０２及びＤＥＣＴプロトコル処理部９０３を介して、ＤＥＣＴの無線通信方式を用いて親機１０との間で無線接続、無線通信を行う。センサーライト９０は、親機１０との間で無線通信を行うことで、各種のセンサ４０、スマートフォン５０、スマートプラグ８０等の機器と接続可能である。
【００６１】
また、プロセッサ９０１は、点灯時間計測タイマ９０１ｚ、消灯遅延時間計測タイマ９０１ｙ及び点灯継続時間計測タイマ９０１ｘを内蔵する。
【００６２】
点灯時間計測タイマ９０１ｚは、ライト９０７の点灯時間を計測する。以下、点灯時間の計測値の符号として「Ｔａ」を用い、点灯時間の設定値の符号として「Ｔａｍ」を用いる。
【００６３】
消灯遅延時間計測タイマ９０１ｙは、消灯遅延時間を計測する。消灯遅延時間は、動作センサ９０６によって移動体（例えば人物）の動きが検知されなくなってからライト９０７を消灯させるまでの移動体の非検知状態の継続時間を示す。以下、消灯遅延時間の計測値の符号として「Ｔｄ」を用い、消灯遅延時間の設定値の符号として「Ｔｄｍ」を用いる。
【００６４】
点灯継続時間計測タイマ９０１ｘは、ライト９０７が点灯し始めてから点灯を継続している時間を示す点灯継続時間を計測する。点灯継続時間には、上限値が設けられている。この上限値は、センサーライト９０がバッテリ駆動であることに鑑みて、ライト９０７が連続して点灯することが可能な点灯時間の最大値である。ライト９０７は、この上限値まで点灯した場合には、プロセッサ９０１により強制的に消灯させられることになる。以下、点灯継続時間の計測値の符号として「Ｔｃ」を用い、点灯継続時間の設定値（つまり、上述した上限値）の符号として「Ｔｃｍ」を用いる。なお、点灯時間計測タイマ９０１ｚにより計測された点灯時間を点灯継続時間として用いることもでき、この場合には、点灯継続時間計測タイマ９０１ｘはセンサーライト９０から省かれてもよい。
【００６５】
プロセッサ９０１は、点灯継続時間計測タイマ９０１ｘによって計測されるライト９０７の点灯継続時間の計測値Ｔｃが、メモリ９０４に記憶された点灯継続時間の設定値（つまり、上述した上限値）Ｔｃｍを超えると、消灯遅延時間の計測値Ｔｄの状況に拘わらず、ライト９０７を強制的に消灯させる。
【００６６】
また、プロセッサ９０１は、後述するように、消灯遅延時間計測タイマ９０１ｙによって計測される消灯遅延時間の計測値Ｔｄと、メモリ９０４に記憶された消灯遅延時間の設定値Ｔｄｍとを比較し、この比較結果に応じて、ライト９０７の点灯／消灯を制御する。
【００６７】
プロセッサ９０１は、ライト９０７が消灯中に人感を検知した場合には、ライト９０７の点灯時間の計測を開始するとともに、ライト９０７の点灯を開始する。
【００６８】
プロセッサ９０１は、ライト９０７の点灯中に、消灯遅延時間の計測値Ｔｄが消灯遅延時間の設定値Ｔｄｍを超え、かつ、ライト９０７の点灯時間の計測値Ｔａがライト９０７の点灯時間の設定値Ｔａｍを超えたと判定した場合に、ライト９０７を消灯する。例えばライト９０７の点灯時間の設定値Ｔａｍが３０秒、消灯遅延時間の設定値Ｔｄｍが５秒、ライト９０７の点灯時間の計測値Ｔａが２５秒の時点で人感が検知されなくなった場合を考える。この場合、人感が検知されなくなってから５秒間人感の非検知状態が継続すれば、消灯遅延時間の計測値Ｔｄが消灯遅延時間の設定値Ｔｄｍ（５秒）に達し、かつライト９０７の点灯時間の計測値Ｔａがライト９０７の点灯時間の設定値Ｔａｍ（３０秒）に達するので、ライト９０７は消灯する。この例では、ライト９０７は計３０秒点灯していたことになる。
【００６９】
また、プロセッサ９０１は、センサーライト９０が電池駆動であるため、親機１０との間ではＤＥＣＴの無線通信方式を用いて通信可能ではあるが、親機１０との間で無線通信を行う必要がある時（例えば人感検知時や親機１０との間の定期通信時）を除けば、通信をスリープモード（つまり、通信を行っていないモード）に設定している。これにより、センサーライト９０は、親機１０との間で常時通信モードに設定する必要が無いので、消費電力の増大を抑制することが可能である。
【００７０】
本実施形態では、消灯遅延時間の設定値Ｔｄｍは、例えば２通りの方法で設定可能である。第１の設定方法では、プロセッサ９０１は、消灯遅延時間テーブル１７０（図１１参照）を予めメモリ９０４に記憶しておき、この消灯遅延時間テーブル１７０を参照し、ライト９０７の点灯時間の設定値Ｔａｍに対応する消灯遅延時間の設定値Ｔｄｍを読み出して取得する。
【００７１】
また、第２の設定方法では、プロセッサ９０１は、ライト９０７の点灯時間を計測し、この計測値Ｔａの所定割合（例えば点灯時間の計測値Ｔａの１０％）を計算し、この計算した値を消灯遅延時間の設定値Ｔｄｍとして設定する。なお、この所定割合は、１０％に限らず、５％，２０％等、任意の値に設定可能である。
【００７２】
また、消灯遅延時間の設定値Ｔｄｍは、スマートフォン５０を操作するユーザの設定入力により、親機１０を介してセンサーライト９０に設定されてもよい。例えばスマートフォン５０を操作するユーザの設定操作により入力された消灯遅延時間の設定値Ｔｄｍの情報がスマートフォン５０から親機１０に対して送信されると、消灯遅延時間の設定値Ｔｄｍの情報が親機１０において受信される。その後、親機１０は、センサーライト９０に消灯遅延時間の設定値Ｔｄｍの情報を送信する。センサーライト９０は、消灯遅延時間の設定値Ｔｄｍの情報を受信すると、メモリ９０４に書き込むことで設定を完了することができる。
【００７３】
また、例えばライト９０７の点灯時間の設定値Ｔａｍが２０秒であったが点灯していた点灯時間の計測値Ｔａが７０秒を経過した時に、ようやく人物の動きが検知されなくなり、その後消灯遅延時間の間に非検知状態が継続した場合を想定する。この場合、第１の設定方法では、消灯遅延時間テーブル１７０を参照すると、消灯遅延時間の設定値Ｔｄｍは５秒である。一方、第２の設定方法では、人物の動きが検知されなくなるまでの点灯時間の計測値Ｔａの１０％として、消灯遅延時間の設定値Ｔｄｍは７秒である。従って、第１の設定方法ではライト９０７は合計７５秒間点灯し、一方、第２の設定方法ではライト９０７は合計７７秒間点灯する。つまり、第１の設定方法で消灯遅延時間の設定値Ｔｄｍが設定される場合、第２の設定方法で設定される場合に比べて、ライト９０７が点灯する時間は２秒縮まり、バッテリ駆動のセンサーライト９０にとっては消費電力が低減する点で好ましい。一方で、第２の設定方法で設定される場合には、第１の設定方法で設定される場合に比べて２秒間長くライト９０７が点灯するので、人物の動きが検知されなくなったとしてもライト９０７の点灯時間を一定程度確保する観点ではより好ましいといえる。
【００７４】
また、例えばライト９０７の点灯時間の設定値Ｔａｍが２０秒であったが点灯していた点灯時間の計測値Ｔａが２０秒を経過した時に、ようやく人の動きが検知されなくなり、その後消灯遅延時間の間に非検知状態が継続した場合を想定する。この場合、第１の設定方法では、消灯遅延時間テーブル１７０を参照すると、消灯遅延時間の設定値Ｔｄｍは５秒である。一方、第２の設定方法では、点灯時間の計測値Ｔａの１０％として、消灯遅延時間の設定値Ｔｄｍは２秒である。従って、第１の設定方法ではライト９０７は合計２５秒間点灯し、一方、第２の設定方法ではライト９０７は合計２２秒間点灯する。つまり、第１の設定方法と第２の設定方法のいずれで消灯遅延時間の設定値Ｔｄｍを設定すれば良いかは、人の動きが検知されなくなった時点までのライト９０７の点灯時間の計測値Ｔａの長短に依存する。なお、第１の設定方法と第２の設定方法とのうちいずれかの設定方法により、消灯遅延時間の設定値Ｔｄｍが設定される。
【００７５】
消灯遅延時間を設定する方法として、第１の設定方法／第２の設定方法は、センサーライト９０に内蔵された操作スイッチ（図示せず）、或いは親機１０を介してスマートフォン５０によって選択可能である。
【００７６】
ライト９０７は、例えば光源である白色ＬＥＤと、この白色ＬＥＤから投射される光を前方に反射するリフレクタとで構成される。なお、光源としては、白色ＬＥＤに限らず、白色以外のカラーＬＥＤ、白熱灯、蛍光灯、ハロゲンランプ、キセノンランプ等であってもよい。本実施形態では、消費電力が少なく、かつ、自然光に近い白色ＬＥＤを用いる。
【００７７】
メモリ９０４は、プロセッサ９０１が実行する制御プログラムや各種データを記憶する。各種データには、後述する設定情報テーブル１６０、消灯遅延時間テーブル１７０等が含まれる。
【００７８】
センサの一例としての照度センサ９０５は、周囲の明るさを感知するものであり、人間の眼が感じる光の波長に近い波長の領域の光を感知する、つまり人間の眼に近い分光感度特性を有するフォトダイオードである。なお、照度センサ９０５には、イメージセンサを用いてもよく、この場合、イメージセンサの各画素の輝度値から照度を得るとともに、全画素の輝度値から画像を取得することも可能である。
【００７９】
センサの一例としての動作センサ９０６は、ＬＥＤ及びフォトダイオードを有し、監視エリアに向けてＬＥＤから近赤外光を照射し、フォトダイオードでその反射光を受光し、反射光の変化に基づき、人物の動きを検知する。なお、ここでは、移動体の一例として、人物の動きを検知していたが、人物に限らず、犬、猫等の動物や、小型若しくは大型の車両やロボット等の構造物の動きを検知してもよい。また、ここでは、近赤外光を照射したが、可視光、紫外光等を照射し、その反射光の変化から、移動体の動きを検知してもよい。また、光を照射する代わりに、超音波を照射し、その反射波から移動体の動きを検知してもよい。また、動作センサ９０６は、移動体の動きを検知していたが、動きが極端に小さいと予想される移動体の場合には、移動体が動かなくてもその存在を検知できるものであってもよい。例えば動作センサ９０６として、人体が発する赤外光を感知する、人感センサとして、ＰＩＲ（Passive Infra Red）センサである赤外線センサ（焦電センサ）を用いてもよい。集電センサを用いた場合、ＬＥＤのように発光しないので、省電力化が図られる。
【００８０】
電池９０８は、センサーライト９０の電源として用いられる、例えば４本の単１乾電池である。なお、電池としては、マンガン乾電池、アルカリ乾電池等の一次電池だけでなく、ニッケル水素バッテリ、リチウムイオン電池、鉛バッテリ等の充電可能な二次電池を用いてもよい。また、本実施形態では、センサーライト９０の電源として、電池を用いたが、電池の代わりに、商用交流電源に接続され、商用交流を変換して所定の電圧を出力する電源装置を内蔵してもよい。
【００８１】
図９は、本実施形態のセンサーライト９０の外観の一例を示す斜視図である。センサーライト９０は、ライト本体９１と、連結部９２と、台座９３とを有する。ライト本体９１は、図８に示す各部の電子部品が実装された基板を内蔵する。ライト本体９１の前面には、監視エリアに向けて照射可能なライト９０７が配置される。また、ライト本体９１の前面には、照度センサ９０５及び動作センサ９０６が配置されている。
【００８２】
台座９３は、連結部９２を介してライト本体９１を支持する矩形板である。矩形板は、４つの角部が丸い形状（Ｒ形状）を有する。台座９３の四隅には、ねじが挿通される孔９３ｚがそれぞれ穿設されている。
【００８３】
連結部９２は、ライト本体９１と台座９３とを連結し、台座９３に対してライト本体９１の向きを手動で段階的に調整可能なヒンジ機構を有する。台座９３を任意の角度を有する面（例えば、水平な面、垂直な面、傾斜した面）を持つ部材に取り付けても、ヒンジ機構を調節することで、ライト本体９１の前面を監視エリアの所望の方向に向けることができる。本実施形態では、センサーライト９０は、家の外壁１５０に取り付けられる。この取り付けでは、台座９３に設けられた４ヶ所の孔９３ｚにねじ９４を通して締め付けることで、センサーライト９０の台座９３は外壁１５０に固定される。取り付け後、ライト９０７が監視エリア（例えば、玄関前、庭、ガレージ等）を照明できるように、連結部９２を手動で動かし、ライト本体９１の向きを調節する。なお、センサーライトの取付場所は、宅外である家の外壁に限らず、ベランダ、門、支柱等であってもよいし、宅内の物置等であってもよい。
【００８４】
上記構成を有する監視カメラシステム５におけるセンサーライト９０の動作について説明する。
【００８５】
始めに、センサーライト９０の動作に必要なデータとして、メモリ９０４に記憶されている設定情報テーブル１６０及び消灯遅延時間テーブル１７０について説明する。
【００８６】
図１０は、本実施形態のセンサーライト９０における設定情報テーブル１６０の登録内容の一例を示す図である。設定情報テーブル１６０は、例えば製造時等において、センサーライト９０のメモリ９０４に予め記憶されている。なお、設定情報テーブル１６０の登録内容は、センサーライト９０に搭載された操作スイッチ（不図示）により変更されてもよいし、ユーザのスマートフォン５０の操作によって親機１０を介して書き換えられてもよい。
【００８７】
設定情報テーブル１６０には、「ライト点灯時間」、「ライト点灯パターン」、「ライト点灯輝度」、「照度センサ感度」、及び「動作センサ感度」の各項目が登録されている。「ライト点灯時間」の項目には、動作センサ９０６で人物等の動きを検知した時、ライト９０７を点灯する時間、つまり点灯時間の設定値Ｔａｍが設定されている。この設定範囲は例えば０秒〜３分であり、点灯時間の設定値Ｔａｍの初期値は「２０秒」である。
【００８８】
「ライト点灯パターン」の項目には、ライト９０７を点灯する場合の光り方として、「点灯」又は「点滅」が設定されている。初期値は「点灯」に設定される。「ライト点灯輝度」の項目には、ライト９０７を点灯する場合の明るさが設定されている。この設定範囲は例えば１００〜３００ルーメンである。初期値は「３００ルーメン」である。
【００８９】
「照度センサ感度」の項目には、昼間等の明るい時に、動作センサ９０６が人の動きを検知しても、光らないようにするための照度センサ９０５の感度が設定されている。この設定範囲には、「明るい」（「普通」と比べて、少し明るくても、点灯を始める）、「普通」（薄暗い時から、点灯を始める）、「暗い」（「普通」と比べて、少し暗くなってから、点灯を始める）の３段階の設定が含まれる。初期値は「普通」である。
【００９０】
「動作センサ感度」の項目には、動作センサの検知感度が設定されている。この設定範囲には、「高」（「中」と比べて、少しの動作でも反応しやすくなる）、「中」（適度な反応）、「低」（「中」と比べて、反応しにくくなる）、「極低」（「中」と比べて、さらに反応しにくくなる）の４段階の設定が含まれる。初期値は「中」である。
【００９１】
「点灯継続時間」の項目には、センサーライト９０が連続して点灯した後に強制的に消灯されるまでの時間の上限値が設定されている。この設定範囲には、例えば５分〜３０分の設定可能な時間が含まれる。初期値は「１５分」である。
【００９２】
なお、設定情報テーブル１６０に登録される項目としては、これら６つの項目に限定されず、他の項目、例えば天候（雨天は常に消灯）に応じた設定変更、一日当たりの点灯回数の制限値、点滅時の点滅周期、点灯時の輝度変化パターン等が含まれてもよい。
【００９３】
図１１は、本実施形態のセンサーライト９０における消灯遅延時間テーブル１７０の登録内容の一例を示す図である。消灯遅延時間テーブル１７０は、センサーライト９０のメモリ９０４に予め記憶されている。なお、消灯遅延時間テーブル１７０の登録内容は、センサーライト９０に搭載された操作スイッチ（不図示）により変更されてもよいし、ユーザのスマートフォン５０の操作によって親機１０を介して書き換えられてもよい。
【００９４】
消灯遅延時間テーブル１７０には、ユーザにより設定されたライト９０７の点灯時間の設定値Ｔａｍに対応する消灯遅延時間の設定値Ｔｄｍが登録されている。具体的には、点灯時間の設定値Ｔａｍが１分未満である場合、消灯遅延時間の設定値Ｔｄｍは５秒である。また、点灯時間の設定値Ｔａｍが１分以上である場合、消灯遅延時間の設定値Ｔｄｍは１０秒である。これらの値は一例であり、任意の値に設定可能である。
【００９５】
さらに、監視カメラシステム５を構成する各機器の動作条件（つまり、後述するシナリオ）が設定されたスマートコントロール設定テーブル１８０について説明する。スマートコントロール設定テーブル１８０は、例えば親機１０の記憶部１０３に記憶されている。スマートコントロール設定テーブル１８０の初期値の登録は、例えば製造時やメンテナンス時に行われる。また、スマートコントロール設定テーブル１８０の登録内容は、ユーザがスマートフォン５０を操作してシナリオを親機１０に登録することで、任意の時に追加・更新・削除可能である。つまり、ユーザがスマートフォン５０等の外部機器を操作してシナリオを作成すると、外部機器はシナリオのデータを親機１０に送信する。親機１０は、外部機器から送信されたシナリオのデータを受信して記憶部１０３に書き込んで登録する。また、ユーザが親機１０の表示部１０６（例えばタッチパネル）を操作してシナリオを作成すると、親機１０は、表示部１０６に入力されたシナリオのデータを記憶部１０３に書き込んで登録する。これにより、ユーザは、上述した製造時やメンテナンス時に限定されず、任意の時にスマートコントロール設定テーブル１８０の内容を追加・更新・削除が可能である。
【００９６】
図１２は、スマートコントロール設定テーブル１８０の登録内容の一例を示す図である。スマートコントロール設定テーブル１８０には、シナリオ番号毎に、「起動トリガ」、「動作デバイス」、「動作内容」、「動作開始条件」及び「動作内容（詳細）」の各項目が登録されている。ここで、シナリオとは、起動トリガの処理があった時に動作開始条件が満たされていると、動作デバイスが動作内容（具体的には、「動作内容（詳細）」により示される処理）を実行する、一連の処理（スマートコントロール）の設定内容を表す。
【００９７】
シナリオ番号１には、窓に取り付けられている開閉センサ４０Ｄが開いた時、動作開始条件（警戒モード：外出警戒又は在宅警戒、動作時間帯：終日、繰り返し：毎日）を満たしている場合、カメラ３０（例えば屋内カメラ３０Ａ）が撮像した映像を３分間録画するというシナリオが登録されている。つまり、このシナリオでは、外出時の警戒中や在宅時の警戒中に窓が開いたら、例えば泥棒が侵入したとして、窓を撮像範囲として含むように配置されたカメラ３０（例えば屋内カメラ３０Ａ）で撮像を開始し、さらに撮像した映像を３分間録画も行うという、処理内容が示されている。これにより、警戒モード中に窓が開いたときの証拠映像を残すことが可能となる。
【００９８】
シナリオ番号２には、センサーライト９０の動作センサ９０６が人の動き（つまり、人感）を検知した時に、動作条件（警戒モード：全モード、動作時間帯：２２：００〜翌６：００、繰り返し：月〜金）を満たしている場合、スマートプラグ８０がスイッチ部８５０を閉結してコンセント端子８５２に接続される電気機器の電源を１０分間ＯＮにするというシナリオが登録されている。つまり、このシナリオでは、センサーライト９０が夜間に人の動きを検知すると、電気機器（例えばスタンドライト）が接続されたスマートプラグ８０を１０分間ＯＮにする、という処理内容が示されている。これにより、夜間でも人がいるように見せかけることができる。
【００９９】
シナリオ番号３には、屋外に設置された監視カメラ３０Ｂの赤外線センサ３１３が人感を検知した時に、動作条件（警戒モード：全モード、動作時間帯：２２：００〜翌６：００、繰り返し：毎日）を満たしている場合、センサーライト９０が、１０秒間にわたって、３００ルーメンの輝度でライトＯＮの点滅動作を行う。つまり、このシナリオでは、監視カメラ３０Ｂが夜間に人の動き（人感）を検知すると、センサーライト９０が１０秒間、３００ルーメンの輝度で点滅する、という処理内容が示されている。これにより、夜間に屋外の監視カメラ３０Ｂの人感の検知範囲にいる人等を威嚇することができる。
【０１００】
なお、これらのシナリオは、一例であり、任意のシナリオが登録されてもよいことは言うまでもない。例えば、ユーザがスマートフォン５０を操作することで、日時、天候、曜日等を指定してセンサーライト９０を点灯或いは消灯するシナリオを、スマートコントロール設定テーブル１８０に登録してもよい。これにより、親機１０は、シナリオが満たされた場合に、センサーライト９０に点灯指示或いは消灯指示を行うことができる。
【０１０１】
図１３は、スマートフォン５０に表示されるスマートコントロール設定画面ＧＭの一例を示す図である。このスマートコントロール設定画面ＧＭには、センサーライト９０を点灯するためのシナリオの設定項目が表示されている。
【０１０２】
起動トリガ（Triggered by）の項目ｍ１には、例えば玄関前に設置された監視カメラ（Entrance: Camera 1. Motion）が人感を検知した時が設定されている。
【０１０３】
動作内容（Light On with）の項目ｍ２には、例えば玄関前に設置されたセンサーライト（Entrance Motion Light 1）を点灯させる動作が設定されている。
【０１０４】
動作内容（詳細）の１つとして、ＬＥＤの点灯の仕方（LED Light）の項目ｍ３には、例えば点灯時間（Lighting Duration）の入力項目ｍ３１、明るさ（Brightness）の入力項目ｍ３２、及びパターン（Lighting Pattern）の項目ｍ３３が設定可能である。ここでは、点灯時間が１０秒、明るさが３００ルーメン、パターンが点滅（Flashing）に設定されている。
【０１０５】
また、動作開始条件の１つとして、繰り返し（Repeat）の項目ｍ４が設定可能である。ここでは、曜日（Days）の入力項目ｍ４１には、毎日（Everyday）が設定されている。
【０１０６】
また、動作開始条件の１つとして、シナリオが動作するＡＲＭモード（Arm Mode）の項目ｍ５が設定可能である。ＡＲＭモードは、在宅警戒モード（At Home Mode）の項目ｍ５１、外出警戒モード（Away Mode）の項目ｍ５２、及び警戒解除モード（Disarm Mode）の項目ｍ５３のそれぞれにチェックマークが付されることで設定される。全ての項目ｍ５１，ｍ５１，ｍ５３にチェックマークが付された場合、全モードが設定される。ここでは、全モードが設定されている。
【０１０７】
なお、ＡＲＭモードは、監視カメラシステム５における親機１０の動作状態を示すものであり、３つのモードからユーザにより１つのモードが選択されて設定される。
【０１０８】
在宅警戒モード（At Home Mode）中では、居住者であるユーザが在宅中でも、例えば窓が開いた場合には、親機１０は警報音を出力するとともに、そのユーザが所持するスマートフォン５０に異常が発生した旨を通知する。
【０１０９】
外出警戒モード（Away Mode）中では、居住者であるユーザが外出中に、例えば窓が開いた場合には、親機１０は警報音を出力するとともに、そのユーザが所持するスマートフォン５０に異常が発生した旨を通知する。
【０１１０】
警戒解除モード（Disarm Mode）中では、居住者であるユーザが在宅中でも外出中でも、例えば窓が開いた場合に、親機１０は警報音を出力せず、そのユーザが所持するスマートフォン５０にも異常が発生した旨を通知しない。
【０１１１】
また、スマートコントロール設定画面ＧＭには、ＯＫボタンｍ６及びＣａｎｃｅｌボタンｍ７が設けられている。スマートコントロール設定画面ＧＭにおける設定項目で、親機１０の記憶部１０３に記憶されているスマートコントロール設定テーブル１８０を更新又は新規に追加する場合、ユーザはＯＫボタンｍ６を押下する。一方、更新しない場合又は新規に追加しない場合には、ユーザはＣａｎｃｅｌボタンｍ７を押下する。
【０１１２】
図１４は、本実施形態のセンサーライト９０におけるライト消灯中の動作手順の一例を説明するフローチャートである。この動作は、ライト９０７が消灯中、センサーライト９０のプロセッサ９０１によって繰り返し実行される。
【０１１３】
図１４において、プロセッサ９０１は、親機１０から点灯指示があったか否かを判定する（Ｓ１）。点灯指示が無いと判定された場合（Ｓ１、ＮＯ）、プロセッサ９０１は、動作センサ９０６によって人の動きが検知されたか否かを判定する（Ｓ２）。人の動きが検知されないと判定された場合（Ｓ２、ＮＯ）、プロセッサ９０１の処理はステップＳ１に戻る。
【０１１４】
一方、人の動きが検知されたと判定された場合（Ｓ２、ＹＥＳ）、プロセッサ９０１は、周囲が設定値より明るいか否か、つまり、照度センサ９０５によって検知される照度が設定情報テーブル１６０の設定値（例えば「明るい」、「普通」、「暗い」のうち「普通」）より高いか否かを判定する（Ｓ３）。周囲が設定値より明るいと判定された場合（Ｓ３、ＹＥＳ）、センサーライト９０は点灯する必要が無いため、プロセッサ９０１の処理はステップＳ１に戻る。
【０１１５】
一方、周囲が設定値より暗いと判定された場合（Ｓ３、ＮＯ）、センサーライト９０は点灯する必要があるため、プロセッサ９０１は、ライト９０７を点灯する（Ｓ４）。さらに、プロセッサ９０１は、ライト９０７の点灯と略同時に点灯時間計測タイマ９０１ｚにより、点灯時間の計測を開始する（Ｓ５）。さらに、プロセッサ９０１は、ライト９０７の点灯と略同時に点灯継続時間計測タイマ９０１ｘにより、点灯継続時間の計測を開始する（Ｓ６）。この後、プロセッサ９０１は、消灯中の処理を終了し、点灯中の処理に移行する。
【０１１６】
一方、ステップＳ１で親機１０から点灯指示があった場合（Ｓ１、ＹＥＳ）、プロセッサ９０１は、ステップＳ３と同様、周囲が設定値より明るいか否かを判定する（Ｓ７）。周囲が設定値より明るいと判定された場合（Ｓ７、ＹＥＳ）、センサーライト９０は点灯する必要が無いため、プロセッサ９０１の処理はステップＳ１に戻る。
【０１１７】
一方、周囲が設定値より暗い場合（Ｓ７、ＮＯ）、プロセッサ９０１は、ライト９０７を点灯する（Ｓ８）。さらに、プロセッサ９０１は、ライト９０７の点灯は親機１０からの点灯指示に基づく旨の情報を保持するために、点灯指示フラグＦｔをオンにする（Ｓ９）。この後、プロセッサ９０１の処理はステップＳ６に進み、前述した点灯継続時間の計測が開始される。その後、プロセッサ９０１は、消灯中の処理を終了し、点灯中の処理に移行する。
【０１１８】
図１５は、本実施形態のセンサーライトにおけるライト点灯中の動作手順の一例を示すフローチャートである。図１６は、図１５に続くライト点灯中の動作手順の一例を説明するフローチャートである。図１７は、図１５及び図１６に続くライト点灯中の動作手順の一例を説明するフローチャートである。この動作は、ライト９０７が点灯中、センサーライト９０のプロセッサ９０１によって繰り返し実行される。
【０１１９】
図１５において、プロセッサ９０１は、点灯継続時間計測タイマ９０１ｘによって計測される点灯継続時間の計測値Ｔｃが予め設定された点灯継続時間の設定値Ｔｃｍ以上であるか否かを判定する（Ｓ１１）。点灯継続時間の計測値Ｔｃが点灯継続時間の設定値Ｔｃｍ以上であると判定された場合（Ｓ１１、ＹＥＳ）、プロセッサ９０１は、点灯指示フラグＦｔをオフに設定する（Ｓ１２）。
【０１２０】
なお、ライト９０７の点灯開始時から点灯継続時間の計測値Ｔｃが点灯継続時間の設定値Ｔｃｍに達するまでの間に、ライト９０７が親機１０からの点灯指示に基づいて点灯したことがある場合には、ステップＳ１２において点灯指示フラグＦｔをオフにすることで、点灯指示フラグＦｔはオンからオフに変化する。しかし、ライト９０７の点灯開始時から点灯継続時間の計測値Ｔｃが点灯継続時間の設定値Ｔｃｍに達するまでの間に、ライト９０７が動作センサ９０６における人の動き検知のみに基づいて点灯したことがある場合には、もともと点灯指示フラグＦｔはオフのままであるので、ステップＳ１２の処理は省略される。
【０１２１】
プロセッサ９０１は、消灯遅延時間計測タイマ９０１ｙによる消灯遅延時間の計測値Ｔｄの計測を停止し、消灯遅延時間計測タイマ９０１ｙの計測値を値０にリセットする（Ｓ１３）。なお、親機１０からの点灯指示のみにより点灯していた場合には、消灯遅延時間計測タイマ９０１ｙによる計測は行われていないので、ステップＳ１３の処理は省略される。
【０１２２】
プロセッサ９０１は、動作センサ９０６による人の動き検知に基づいて点灯時間を計測している場合、点灯時間計測タイマ９０１ｚによる点灯時間の計測値Ｔａの計測を停止し、点灯時間計測タイマ９０１ｚの計測値を値０にリセットする（Ｓ１４）。なお、親機１０からの点灯指示のみにより点灯していた場合には、ステップＳ１４の処理は省略される。
【０１２３】
プロセッサ９０１は、ライト９０７を消灯する（Ｓ１５）。プロセッサ９０１は、点灯継続時間計測タイマ９０１ｘによる点灯継続時間の計測を停止し、点灯継続時間の計測値Ｔｃを値０にリセットする（Ｓ１６）。この後、プロセッサ９０１はライト９０７の点灯中における動作を終了する。
【０１２４】
一方、点灯継続時間の計測値Ｔｃが点灯継続時間の設定値Ｔｃｍ未満である場合（Ｓ１１、ＮＯ）、例えば点灯継続時間の計測値Ｔｃが１５分未満である場合、プロセッサ９０１は、ライト９０７の点灯中、親機１０からの指示を受信したか否かを判定する（Ｓ１７）。親機１０からの指示は、例えばユーザがスマートフォン５０を操作することに基づいて行われるか、又はスマートコントロール設定テーブル１８０に登録されたシナリオが満たされた場合に行われる。
【０１２５】
親機１０からの指示が消灯指示である場合（Ｓ１７、消灯指示あり）、プロセッサ９０１は、親機１０からの点灯指示フラグＦｔをオフに設定する（Ｓ１８）。
【０１２６】
一方、親機１０からの指示が点灯指示である場合（Ｓ１７、点灯指示あり）、プロセッサ９０１は、親機１０からの点灯指示フラグＦｔをオンに設定する（Ｓ１９）。
【０１２７】
また、親機１０からの指示がなかった場合（Ｓ１７、何もなし）、プロセッサ９０１の処理はステップＳ２０に進む。
【０１２８】
図１６において、プロセッサ９０１は、消灯遅延時間計測タイマ９０１ｙがスタート済であるか否か（つまり、消灯遅延時間を計測しているか否か）を判定する（Ｓ２０）。消灯遅延時間の計測がスタート済でない場合としては、例えば前回のステップＳ２０の処理時点から今回のステップＳ２０の処理時点までの間に人がずっと居る（つまり、検知され続けている）場合と、人がずっと居ない（検知されていない）が親機１０から点灯指示があった場合との２つが考えられる。
【０１２９】
消灯遅延時間の計測がスタート済でない場合（Ｓ２０、ＮＯ）、プロセッサ９０１は、現在動作センサ９０６によって人が検知されているか否かを判定する（Ｓ２１）。人が検知されている場合（Ｓ２１、ＹＥＳ）、つまり、センサーライト９０の検知範囲に人が居る場合、プロセッサ９０１は、動作検知による点灯時間計測タイマ９０１ｚの計測が開始しているか否かを判定する（Ｓ２２）。人の動作検知によってライト９０７の点灯時間の計測が開始している場合（Ｓ２２、ＹＥＳ）、動作センサ９０６が人を検知しているので、プロセッサ９０１の処理はステップＳ１１に戻る。
【０１３０】
一方、人の動作検知によってライト９０７の点灯時間の計測が開始していない場合（Ｓ２２、ＮＯ）、ステップＳ２１において人の動きが検知されているので、プロセッサ９０１は、人の動作検知による点灯時間計測タイマ９０１ｚによる計測を開始する（Ｓ２３）。この後、プロセッサ９０１の処理はステップＳ１１に戻る。
【０１３１】
また、ステップＳ２１で人が検知されていない場合（Ｓ２１、ＮＯ）、つまり、センサーライト９０の検知範囲に人が居ない場合、プロセッサ９０１は、動作検知による点灯時間計測タイマ９０１ｚの計測が開始しているか否かを判定する（Ｓ２４）。
【０１３２】
ステップＳ２４の処理時点までに点灯時間計測タイマ９０１ｚによる計測が開始していた場合（Ｓ２４、ＹＥＳ）、人の動作検知状態が非検知状態に変化した（つまり、人が居なくなった）ので、プロセッサ９０１は、消灯遅延時間計測タイマ９０１ｙによる計測を開始する（Ｓ２５）。プロセッサ９０１は、ライト９０７の点灯時間の計測値Ｔａに対応した消灯遅延時間の設定値Ｔｄｍを計算する（Ｓ２６）。ステップＳ２６における消灯遅延時間の設定値Ｔｄｍは、前述した２通りの方法（つまり、第１の設定方法、第２の設定方法）により取得される。この後、プロセッサ９０１の処理はステップＳ１１に戻る。
【０１３３】
一方、ステップＳ２４の処理時点までに動作検知による点灯時間計測タイマ９０１ｚの計測が開始していない場合（Ｓ２４、ＮＯ）、プロセッサ９０１は、親機１０からの指示による点灯指示フラグＦｔがオフであるか否かを判定する（Ｓ２７）。親機１０からの指示による点灯指示フラグＦｔがオフではないと判定された場合には（Ｓ２７、ＮＯ）、親機１０から消灯指示が送信された訳では無いので、センサーライト９０の点灯を継続する必要があるため、プロセッサ９０１の処理はステップＳ１１に戻る。
【０１３４】
親機１０からの指示による点灯指示フラグＦｔがオフである場合（Ｓ２７、ＹＥＳ）、プロセッサ９０１は、ライト９０７を消灯する（Ｓ２８）。消灯後、プロセッサ９０１は、点灯継続時間計測タイマ９０１ｘの計測を停止し、その計測値を値０にリセットする（Ｓ２９）。この後、プロセッサ９０１はライト９０７の点灯中における動作を終了する。このように、センサーライト９０が人を検知しておらず、かつ、親機１０から消灯指示があった場合には、センサーライト９０は消灯する。
【０１３５】
図１７において、ステップＳ２０で消灯遅延時間計測タイマ９０１ｙがスタート済である場合（Ｓ２０、ＹＥＳ）、センサーライト９０の検知範囲において人が居た状態から人が居なくなったことになる。この場合、プロセッサ９０１は、動作センサ９０６によって人の動きが再び検知されたか否かを判定する（Ｓ３０）。
【０１３６】
ステップＳ３０で人の動きの非検知が続いている場合（Ｓ３０、ＮＯ）、プロセッサ９０１は、消灯遅延時間計測タイマ９０１ｙによって計測される消灯遅延時間の計測値Ｔｄが消灯遅延時間の設定値Ｔｄｍ以上であるか否かを判定する（Ｓ３１）。消灯遅延時間の計測値Ｔｄが消灯遅延時間の設定値Ｔｄｍ未満である場合（Ｓ３１、ＮＯ）、プロセッサ９０１の処理はステップＳ１１に戻る。
【０１３７】
一方、消灯遅延時間の計測値Ｔｄが消灯遅延時間の設定値Ｔｄｍ以上である場合（Ｓ３１、ＹＥＳ）、プロセッサ９０１は、人の動作検知に基づいて点灯時間計測タイマ９０１ｚによって計測された点灯時間の計測値Ｔａが、設定情報テーブル１６０に登録されている点灯時間の設定値Ｔａｍ以上であるか否かを判定する（Ｓ３２）。点灯時間の計測値Ｔａが点灯時間の設定値Ｔａｍ未満である場合（Ｓ３２、ＮＯ）、プロセッサ９０１の処理はステップＳ１１に戻る。
【０１３８】
一方、点灯時間の計測値Ｔａが点灯時間の設定値Ｔａｍ以上である場合（Ｓ３２、ＹＥＳ）、プロセッサ９０１は、点灯時間計測タイマ９０１ｚの計測を停止し、その計測値を値０にリセットする（Ｓ３３）。さらに、プロセッサ９０１は、消灯遅延時間計測タイマ９０１ｙの計測を停止し、その計測値を値０にリセットする（Ｓ３４）。そして、人の動きが検知されなくなったとして、プロセッサ９０１の処理はステップＳ２７の処理に進む。ステップＳ２７以降の処理では、上述したように、センサーライト９０が人を検知しておらず、かつ親機１０から消灯指示があった場合に、センサーライト９０は消灯する。
【０１３９】
また、ステップＳ３０で動作センサ９０６によって人の動きが再び検知された場合（Ｓ３０、ＹＥＳ）、センサーライト９０が点灯を継続するために、プロセッサ９０１は、消灯遅延時間計測タイマ９０１ｙの計測を停止し、その計測値を値０にリセットする（Ｓ３５）。この後、プロセッサ９０１の処理はステップＳ１１に戻る。
【０１４０】
以上により、本実施形態の監視カメラシステム５では、親機１０は、センサーライト９０を含む、監視カメラシステム５を構成する各機器と無線通信可能に接続されており、各機器に対して、スマートコントロール設定テーブル１８０に設定された動作を行うことができる。親機１０は、例えばセンサーライト９０における点灯の動作及び消灯の動作条件を記憶部１０３に記憶する。点灯の動作条件又は消灯の動作条件は、例えばスマートコントロール設定テーブル１８０に登録されたシナリオが満たされた場合や、ユーザがスマートフォン５０を点灯或いは消灯する操作を直接に行った場合等が挙げられる。親機１０は、点灯の動作条件が満たされた場合にセンサーライト９０に点灯指示を送信する。また、親機１０は、消灯の動作条件が満たされた場合にセンサーライト９０に消灯指示を送信する。センサーライト９０は、親機１０から点灯指示を受信した場合又は移動体（例えば人物）を検知している場合に点灯する。一方、センサーライト９０は、親機１０から消灯指示を受信し、かつ人を検知しなくなってから一定時間の間に人の非検知状態が継続した場合に消灯する。
【０１４１】
このように、本実施形態の監視カメラシステム５では、センサーライト９０は、人の動きを検知した場合や、点灯の動作条件が満たされたとして親機１０から送信された点灯指示を受信した場合に、すぐに点灯するので、センサーライト９０の検知範囲（例えばセンサーライト９０の付近）を通過するユーザの利便性を向上できる。
【０１４２】
また、監視カメラシステム５では、センサーライト９０による人の動作非検知が開始して一定時間の間その非検知状態が継続し、かつ親機１０からの消灯指示があった場合に、センサーライト９０が消灯する。これにより、監視カメラシステム５によれば、センサーライト９０の検知範囲を通過するユーザがいなくなったらすぐに消去する訳では無いため、ユーザの利便性を向上できる。また、監視カメラシステム５では、親機１０は、ユーザの意図に沿うように、センサーライト９０の消灯時期を柔軟に可変することができる。例えば、ユーザは、親機１０に対し、スマートフォン５０を操作することで直接に消灯指示を行うこともできるし、或いは消灯するためのシナリオを登録することで、センサーライトの消灯時期を柔軟に可変することができる。
【０１４３】
また、センサーライト９０は、点灯に応じて点灯時間計測タイマ９０１ｚにより点灯時間を計測し、その後、移動体が検知されなくなった場合に消灯遅延時間計測タイマ９０１ｙにより消灯遅延時間の計測を開始するとともに、消灯遅延時間の設定値Ｔｄｍを取得する。センサーライト９０は、消灯遅延時間の計測値Ｔｄが消灯遅延時間の設定値Ｔｄｍを超え、かつ、点灯時間の計測値Ｔａが点灯時間の設定値Ｔａｍを超えた場合に消灯する。これにより、センサーライト９０は、ある程度の期間においてライト９０７を点灯することと、消費電力の増大を抑制してできるだけ早くライト９０７を消灯することとを両立することができる。また、センサーライト９０は、設定された点灯時間が経過した時、人の動きが検知されなくなっても、すぐさま消灯してしまうことを防止することができる。
【０１４４】
また、センサーライト９０における点灯又は消灯の条件を表すシナリオがスマートフォン５０等の電子機器の操作又は親機１０の表示部１０６への操作により生成されると、親機１０は、シナリオのデータをメモリとしての記憶部１０３に記憶する。親機１０は、消灯の動作条件を表すシナリオが満たされた場合に、センサーライト９０に消灯指示を送信する。これにより、ユーザはスマートフォン５０等の電子機器を操作してシナリオを生成することができ、センサーライト９０の消灯時期を任意に設定できる。
【０１４５】
また、センサーライト９０は、点灯時間の計測値Ｔａが点灯時間の設定値Ｔａｍよりも十分に長い点灯継続時間の設定値Ｔｃｍを超えた場合、強制的に消灯する。つまり、センサーライト９０は、親機１０からの消灯指示の受信と、ライト９０７の点灯中に人感非検知が消灯遅延時間の設定値Ｔｄｍ以上かつ点灯時間の計測値Ｔａが点灯時間の設定値Ｔａｍ以上とがともに満たされなくても、点灯継続時間の設定値Ｔｃｍを超える程に十分に長く点灯した場合には、強制的に消灯する。これにより、センサーライト９０がバッテリ駆動である場合、人が検知され続けることによる、センサーライト９０の長時間点灯を回避することができ、センサーライト９０における電池の消費の増大が抑えられる。
【０１４６】
以上、図面を参照しながら実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１４７】
例えば上述した本実施形態では、ユーザは、親機１０に接続されるスマートフォン５０からシナリオの設定・解除を行っていたが、親機１０に接続されるＰＣ（不図示）等の電子機器にインストールされたブラウザソフトウェアに対する操作からその設定・解除を行ってもよい。
【０１４８】
また、本発明は、上述した本実施形態のセンサーライト９０の機能を実現するためのプログラムを、ネットワーク或いは各種記憶媒体を介してセンサーライト９０に供給し、このセンサーライト９０内のプロセッサ９０１が読み出して実行するプログラムも適用範囲である。
【産業上の利用可能性】
【０１４９】
本発明は、センサーライトの付近を通過するユーザの意図に沿うように、センサーライトの消灯時期を柔軟に可変でき、人が検知されなくなった後でも一定期間の点灯を保持することでユーザの利便性を向上する監視システム、監視方法及びセンサーライトとして有用である。
【符号の説明】
【０１５０】
５  監視カメラシステム
８  宅内
１０  親機
１０ａ  差込口
２０、２０Ａ、２０Ｂ  子機
３０  カメラ
３０Ａ  屋内カメラ
３０Ｂ  監視カメラ
４０、４０Ａ、４０Ｂ、４０Ｃ、４０Ｄ  センサ
５０  スマートフォン
６０  無線ルータ
６５  インターネット
７０  携帯電話機
７５  携帯電話網
８０  スマートプラグ
８５  固定電話網
９０  センサーライト
１０１  固定電話回線Ｉ／Ｆ部
１０３、２４２、３０３、４４２、５０４、８４２  記憶部
１０４、２４３、３０４、５０５  音声入出力制御部
１０５、２４４、３０５、８４１  操作部
１０６、２４５、８４５  表示部
１０７、２４８、３１８、４４８、８４８、９０２  ＤＥＣＴ無線Ｉ／Ｆ部
１０８、２４９、３１７、４４９、８４９  ＤＥＣＴプロトコル制御部
１０９、２４７、３０９、４４７、５０６、８４７  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
１６０  設定情報テーブル
１７０  消灯遅延時間テーブル
１８０  スマートコントロール設定テーブル
２５０、５５０  ２次電池
３１２  撮像部
３１３  赤外線センサ
３１４  電源部
３１５  画像メモリ
３１６  画像メモリ制御部
４４５  表示ランプ
４５０  充電池
４５３  センサ部
５０１  ３Ｇ／４Ｇ無線Ｉ／Ｆ部
５０２  ３Ｇ／４Ｇプロトコル制御部
５０３  表示／操作部（タッチパネル）
５１１  ＵＳＢ通信Ｉ／Ｆ部
５１４  監視機能制御部
８００  固定電話機
８５１  プラグ端子
８５２  コンセント端子
８５３  ソレノイドコイル
８５０、８５４  スイッチ部
８５５  電流検出素子
９０１  プロセッサ
９０１ｘ  点灯継続時間計測タイマ
９０１ｙ  消灯遅延時間計測タイマ
９０１ｚ  点灯時間計測タイマ
９０３  ＤＥＣＴプロトコル処理部
９０４  メモリ
９０５  照度センサ
９０６  動作センサ
９０７  ライト
９０８  電池
Ｆｔ  点灯指示フラグ
ＧＭ  スマートコントロール設定画面
【図１】
0006624375.tif 000002
【図２】
0006624375.tif 000003
【図３】
0006624375.tif 000004
【図４】
0006624375.tif 000005
【図５】
0006624375.tif 000006
【図６】
0006624375.tif 000007
【図７】
0006624375.tif 000008
【図８】
0006624375.tif 000009
【図９】
0006624375.tif 000010
【図１０】
0006624375.tif 000011
【図１１】
0006624375.tif 000012
【図１２】
0006624375.tif 000013
【図１３】
0006624375.tif 000014
【図１４】
0006624375.tif 000015
【図１５】
0006624375.tif 000016
【図１６】
0006624375.tif 000017
【図１７】
0006624375.tif 000018